(57)【要約】【課題】様々な形態の噴出口を備えたノズルチップおよびこの噴出口を開閉する封止ピンを、選択的に取り付けることが可能な押下ヘッドおよび押下ヘッド付きポンプを提供する。【解決手段】上方付勢状態で押込み可能にステム１を起立したポンプに装着される押下ヘッド１０であって、本体部２０は、噴出口４３を有するノズルチップ４０と、ノズルチップ４０を取り付けるための取付筒３２を有するヘッド本体２１とを備え、弁部材５０は、噴出口４３を開閉する封止ピン６０と、封止ピン６０を取り付けるための取付部５５が設けられた弁本体５１とを備えており、ヘッド本体２１及び弁本体５１の形態を変更することなく、ノズルチップ４０及び封止ピン６０を選択的に取付可能な構成とされていることを特徴とする。【選択図】図１
2008110319.tif 000002
【特許請求の範囲】
【請求項１】
上方付勢状態で押込み可能にステムを起立したポンプに装着される押下ヘッドであって、
前記ステムの内部に連通されるとともに噴出口を介して外部に連通可能な弁室が形成された本体部と、前記噴出口を開閉させる弁部材と、前記弁部材に連結されて当該弁部材を駆動させる駆動機構とが備えられ、
前記本体部は、前記噴出口を有するノズルチップと、該ノズルチップを取り付けるための取付筒を有するヘッド本体とを備え、
前記弁部材は、前記噴出口を開閉する封止ピンと、この封止ピンを取り付けるための取付部を有するとともに前記駆動機構に連結される弁本体とを備えており、
前記ヘッド本体及び前記弁本体の形態を変更することなく、様々な形態の前記ノズルチップおよび前記封止ピンを選択的に取付可能な構成とされていることを特徴とする押下ヘッド。
【請求項２】
請求項１記載の押下ヘッドにおいて、
天板部の下面に垂設されてステムの上端部に嵌着された装着筒、および天板部の上面に立設されてステムの内部に連通された摺動筒を備える装着筒部材を有し、
前記駆動機構は、本体部を装着筒部材に対して弁部材とともに上下方向に移動させたときに、この弁部材を駆動させて前記噴出口を開閉する構成とされており、
弁部材の外周面および弁室の内周面にそれぞれ、周方向に間隔をあけて複数の溝部が形成され、これら溝部によって噴出口に至る流路が画成されていることを特徴とする押下ヘッド。
【請求項３】
請求項１または２のいずれかに記載の押下ヘッドにおいて、
前記封止ピンの前記噴出口を開閉させる前端部は、前記弁本体を形成する材質よりも軟質の材料により形成されていることを特徴とする押下ヘッド。
【請求項４】
請求項１から３のいずれかに記載の押下ヘッドにおいて、
前記弁室には、弁部材が移動する際に弁部材の側面を支持するガイド部が設けられていることを特徴とする押下ヘッド。
【請求項５】
上方付勢状態で押込み可能にステムを起立したポンプに押下ヘッドが装着され、内部に液体が充填される容器体の口部に取り付けられる押下ヘッド付きポンプであって、
ステムの上端部に請求項１から４のいずれかに記載の押下ヘッドが装着されていることを特徴とする押下ヘッド付きポンプ。
【発明の詳細な説明】
【技術分野】
【０００１】
本発明は、上方付勢状態で押込み可能にステムを起立したポンプに装着する押下ヘッドおよび押下ヘッド付きポンプに関するものである。
【背景技術】
【０００２】
この種の押下ヘッドとして、例えば下記特許文献１に示されるような、天板部の下面に垂設されてステムの上端部に嵌着された装着筒、および天板部の上面に立設されてステムの内部に連通された摺動筒を備える装着筒部材と、前記摺動筒に上下方向に摺動可能に嵌合されるとともに、内部に、ステムの内部に連通され、かつ前方に向けて開口した噴出口を介して外部に連通可能な弁室が形成された本体部と、前記弁室に噴出口に対して前後方向にスライド可能に設けられ、この噴出口を開閉させるとともに、弁室の内周面との間に、噴出口に至る流路を画成する棒状の弁部材と、弁部材に連結され、本体部を装着筒部材に対して弁部材とともに上下方向に移動させたときに、この弁部材を前後方向にスライドさせる駆動機構とが備えられ、本体部を装着筒部材に対して押し下げることにより、まず、弁部材を後方にスライドさせ噴出口を開口させて、さらに強く本体部を押し下げることによって、ステムを押し込み、容器体内の液体をステムから弁室内に流入させることにより、同様に噴出口から噴出させる構成が知られている。そして、本体部の押し下げを解除したときに、ステムをその付勢力により上方に復元移動させるとともに、弁部材をやはり付勢力により前方にスライドさせてその前端部で噴出口を閉塞させる構成が知られている。
【特許文献１】特開２００２−３２６０４４号公報
【発明の開示】
【発明が解決しようとする課題】
【０００３】
ところで、前述の押下ヘッドとしては、ポンプの内容物や用途に応じて様々な形態の噴出口およびこれらの噴出口の形態に対応した弁部材を備えたものが提供されている。
従来、噴出口は本体部に直接形成され、弁部材は駆動機構に連結される部分と噴出口を開閉する部分とが一体に成形されていたため、噴出口の形態を変更する場合には、押下ヘッド全体を新たに製作する必要があった。このため、噴出口およびこの噴出口を開閉する部分以外の構成が同じであっても、ポンプの内容物や用途に応じて多くの種類の押下ヘッドを準備する必要があり、押下ヘッドの管理コストが増大してしまうといった問題があった。
【０００４】
本発明は、前述した事情に鑑みてなされたものであって、様々な形態の噴出口を備えたノズルチップおよびこの噴出口を開閉する封止ピンを、用途に応じて選択的に取り付けることが可能な押下ヘッドおよび押下ヘッド付きポンプを提供することを目的とする。
【課題を解決するための手段】
【０００５】
この課題を解決するために、本発明の押下ヘッドは、上方付勢状態で押込み可能にステムを起立したポンプに装着される押下ヘッドであって、前記ステムの内部に連通されるとともに噴出口を介して外部に連通可能な弁室が形成された本体部と、前記噴出口を開閉させる弁部材と、前記弁部材に連結されて当該弁部材を駆動させる駆動機構とが備えられ、  前記本体部は、前記噴出口を有するノズルチップと、該ノズルチップを取り付けるための取付筒を有するヘッド本体とを備え、前記弁部材は、前記噴出口を開閉する封止ピンと、該封止ピンを取り付けるための取付部を有するとともに前記駆動機構に連結される弁本体とを備えており、前記ヘッド本体及び前記弁本体の形態を変更することなく、様々な形態の前記ノズルチップおよび前記封止ピンを選択的に取付可能な構成とされていることを特徴としている。
【０００６】
また、本発明の押下ヘッド付きポンプは、上方付勢状態で押込み可能にステムを起立したポンプに押下ヘッドが装着され、内部に液体が充填される容器体の口部に取り付けられる押下ヘッド付きポンプであって、ステムの上端部に前述の押下ヘッドが装着されていることを特徴としている。
【０００７】
この構成の押下ヘッドおよび押下ヘッド付きポンプにおいては、本体部が、噴出口を備えたノズルチップと、このノズルチップを取り付け可能な取付筒を有するヘッド本体とを備えているので、ヘッド本体の形態を変更することなく、様々な形態のノズルチップを選択的に取り付けて本体部を構成することができる。また、弁部材が、前記噴出口を開閉する封止ピンと、この封止ピンを取り付け可能な取付部を有するとともに駆動機構に連結される弁本体とを備えているので、弁本体の形態を変更することなく、様々な形態の封止ピンを選択的に取り付けて弁部材を構成することができる。
したがって、１種類のヘッド本体および弁本体に、用途に応じた形態のノズルチップおよび封止ピンを選択的に取り付けて押下ヘッドを構成することが可能となる。
【０００８】
ここで、天板部の下面に垂設されてステムの上端部に嵌着された装着筒、および天板部の上面に立設されてステムの内部に連通された摺動筒を備える装着筒部材を有し、前記駆動機構が、本体部を装着筒部材に対して弁部材とともに上下方向に移動させたときに、この弁部材を駆動させて前記噴出口を開閉する構成とされ、弁部材の外周面および弁室の内周面にそれぞれ、周方向に間隔をあけて複数の溝部を形成し、これら溝部によって噴出口に至る流路を画成してもよい。
この場合、押下ヘッドを上下方向に移動させることで、駆動機構によって弁部材が駆動して噴出口が開閉され、弁室内の液体を外部へと噴出することができる。また、噴出口に至る液体の流路断面積を大きく確保することが可能になり、この流路内における液体の流動抵抗を低減させることができる。
【０００９】
さらに、前記封止ピンの前記噴出口を開閉させる前端部を、前記弁本体を形成する材質よりも軟質の材料により形成してもよい。
この場合、封止ピンの前端部を弾性変形させて噴出口、および弁室内におけるその開口周縁部に密接させた状態で噴出口を閉塞することが可能になり、この閉塞した状態で弁室内の液体が漏れるのを抑制することができる。
【００１０】
また、前記弁室に、弁部材が移動する際に弁部材の側面を支持するガイド部を設けてもよい。
この場合、弁部材を移動させるときに、噴出口に対する弁部材の位置を安定させることが可能になり、噴出口を開口した際、噴出口からの液体の噴出量を安定させることができるとともに、噴出口を閉塞した状態で弁室内の液体が漏れるのを確実に抑えることができる。
【発明の効果】
【００１１】
噴出口を備えたノズルチップおよびこの噴出口を開閉する封止ピンを、用途に応じて選択的に取り付けることが可能な押下ヘッドおよび押下ヘッド付きポンプを提供することができる。
【発明を実施するための最良の形態】
【００１２】
以下に、本発明の実施形態について添付した図面を参照にして説明する。
この実施形態に係る押下ヘッド１０は、上方付勢状態で押込み可能にステム１を起立したポンプに装着されるものであって、天板部１２の下面に垂設されてステム１の上端部に嵌着された装着筒１３、および天板部１２の上面に立設されてステム１の内部に連通された摺動筒１４を備える装着筒部材１１と、摺動筒１４に上下方向に摺動可能に嵌合されるとともに、内部に、ステム１の内部に連通され、かつ前側（図１において左側）に向けて開口した噴出口４３を介して外部に連通可能な弁室Ａが形成された本体部２０と、弁室Ａに噴出口４３に対して前後方向にスライド可能に設けられ、この噴出口４３を開閉させるとともに、弁室Ａの内周面との間に、噴出口４３に至る流路を画成する棒状の弁部材５０と、弁部材５０に連結され、本体部２０を装着筒部材１１に対して弁部材５０とともに上下方向に移動させたときに、この弁部材５０を前後方向にスライドさせるスライド機構７０とが備えられている。
【００１３】
装着筒部材１１において、装着筒１３および摺動筒１４はそれぞれ、天板部１２の径方向中央部に形成された貫通孔１２ａの開口周縁部に同軸上に配置され、摺動筒１４は貫通孔１２ａを介してステム１の内部と連通している。また、天板部１２の外周縁部には案内筒１５が垂設されており、装着筒１３の外周面と案内筒１５の内周面との間にはこれらの径方向に空間が設けられている。
【００１４】
本体部２０は、噴出口４３を有するノズルチップ４０と、このノズルチップ４０を取り付けるための取付筒３２を有するヘッド本体２１とを備えている。
ヘッド本体２１は、頂板部２１ａ、およびこの頂板部２１ａの外周縁から略垂下してなる周壁部２１ｂを備えており、周壁部２１ｂの下部内周面が、装着筒部材１１の案内筒１５の外周面に上下摺動可能に嵌合している。
【００１５】
ここで、ヘッド本体２１の上部には、前方に向けて開口して前後方向に延びる有底筒状の横筒２２が設けられており、この横筒２２の側壁２２ａのうち上方に位置する部分は、頂板部２１ａにより構成されている。また、横筒２２の底壁２２ｂは、周壁部２１ｂの後側（図１および図２において右側）の内周面から径方向内方に隙間を設けるようにして位置されている。
【００１６】
この横筒２２には、ノズルチップ４０を取り付けるための取付筒３２を備えたアダプタ３０が嵌着されている。このアダプタ３０は、一段大径とされた鍔部３１と、この鍔部３１から前方側に向けて延びる取付筒３２と、鍔部３１から後方側に向けて延びる嵌合筒３３とを備えており、前記嵌合筒３３が横筒２２の内周面に嵌合され、鍔部３１の後端面が横筒２２の前端面に当接されて固定されている。
【００１７】
なお、本実施形態では、嵌合筒３３の外周面に係合凸部が設けられ、横筒２２の内周面に係合凹部が設けられており、これら係合凹部と係合凸部が互いに係合することで強固に固定されている。また、前記嵌合筒３３の後端部分には、嵌合筒３３よりも小径とされたガイド筒３４が、嵌合筒３３および取付筒３２と同軸上に延びるように形成されている。
【００１８】
ノズルチップ４０は概略多段円筒状をなしており、ノズル本体４１と、このノズル本体４１の後端部からさらに後方に向けて延びる固定筒４４とを備えている。
ノズル本体４１は、前端側に向かうにしたがい漸次外径が小さくなるテーパ形状をなしており、ノズル本体４１の前端部には径方向内側に突出する環状壁部４２が形成され、この環状壁部４２の内側が前記噴出口４３とされている。また、固定筒４４は、アダプタ３０に設けられた取付筒３２の内側に嵌入可能な構成とされている。
そして、ノズルチップ４０の内周面には、前後方向に延びるノズル溝４５が周方向に間隔をあけて複数形成されている。
【００１９】
このようなノズルチップ４０は、噴出口４３が前方に向けて開口するようにして、前記固定筒４４が取付筒３２内に嵌入されて取り付けられる。なお、本実施形態では、固定筒４４の外周面に係止凸部が設けられ、取付筒３２の内周面に係止凹部が設けられており、これら係止凹部と係止凸部が互いに係合することでこれらが強固に固定されている。
【００２０】
また、横筒２２の側壁２２ａにおいて、摺動筒１４の上端開口部と対向する部分には、横筒２２の内部に連通した被着筒２５が垂設されており、この被着筒２５が、摺動筒１４に上下摺動可能に被着されている。
さらに、横筒２２の側壁２２ａの内周面において底壁２２ｂに連なる後端部に、弁部材５０の後述する摺動部分が摺動可能に支持されるシリンダ筒２６が嵌着されている。
以上より、本体部２０の内部には、それぞれが同軸上に配置されたアダプタ３０、ノズルチップ４０の各内部によって前記弁室Ａが画成されている。また、この弁室Ａは、シリンダ筒２６、横筒２２、被着筒２５および摺動筒１４の各内部を介してステム１の内部と連通している。
【００２１】
弁部材５０は、弁本体５１と、弁本体５１の前方側に取り付けられる封止ピン６０とを備えており、全体として棒状をなし、横筒２２、アダプタ３０、ノズルチップ４０、およびシリンダ筒２６と略同軸上に配置されている。
弁本体５１は、その後端部が横筒２２の底壁２２ｂに形成された貫通孔２３から前記隙間に突出した状態で、弁室Ａに設けられている。なお、弁本体５１の前記隙間に突出した部分には凹溝５２がその全周にわたって形成されている。
【００２２】
弁本体５１の外周面には、その中心軸線方向中央部から後方に向けて漸次拡径するように延在したスカート状部５３が設けられ、さらにこのスカート状部５３の後端縁には、径方向外方に前方に向けて折り返された逆スカート状部５４が連設されている。そして、この逆スカート状部５４がシリンダ筒２６の内周面に摺動可能に嵌合されている。
また、弁本体５１のスカート状部５３よりも前方側部分は、アダプタ３０のガイド筒３４内に挿入されている。そして弁本体５１の前端部には、前記封止ピン６０を取り付けるための取付凹部５５が設けられている。
【００２３】
弁本体５１の前方に取り付けられる封止ピン６０は、外形が多段円柱状をなしており、ノズルチップ４０の噴出口４３を開閉するための封止部６１と、封止部６１よりも一段小径とされたピン本体６２と、このピン本体６２の後端面から突出して前記取付凹部５５に嵌入可能な軸部６３とを備えている。封止部６１の前端周縁部には面取りが施されており、ノズルチップ４０の環状壁部４２の内周端に当接可能な構成とされている。
また、ピン本体６２の外周面には、前後方向に延びる弁溝６４が周方向に間隔をあけて複数形成されている。
【００２４】
このように構成された弁部材５０は、弁本体５１の後端部に設けられたスカート状部５３の連結部分と、横筒２２の底壁２２ｂとの間に介在された第１コイルスプリング２７により、前方に付勢されている。これにより、封止ピン６０の封止部６１を噴出口４３、および弁室Ａにおけるその開口周縁部に密接させて、噴出口４３を閉塞できるようになっている。
【００２５】
なお、本実施形態では、弁部材５０の外周面において、スカート状部５３が連設されている中心軸線方向中央部よりも前方に位置する部分で、かつガイド筒３４よりも前端側に位置する部分と、ノズルチップ４０の内周面およびアダプタ３０の内周面（弁室Ａの内面）との間に隙間が設けられた状態で、弁部材５０（封止ピン６０のピン本体６２）の外周面に形成された弁溝６４および弁室Ａ（ノズルチップ４０）の内面に形成されたノズル溝４５が周方向に間隔をあけて複数形成されており、弁部材５０の外周面と弁室Ａの内面との間に設けられた隙間、および弁溝６４、ノズル溝４５によって、弁室Ａにおける流路が構成されている。
【００２６】
スライド機構７０は、それぞれが平面視矩形状とされた２枚の平板７１、７２が、側面視Ｌ字状となるように連結されるとともに、この連結部分に２枚の平板７１、７２それぞれの表面に沿った方向に平行に延びる支軸部７３が設けられた概略構成とされている。
【００２７】
そして、一方の平板７１の表面において、前記連結部分と反対側の端部には、この端面に開口し、かつその厚さ方向に貫通する第１切欠部７４が形成されており、この第１切欠部７４に、弁本体５１の前記凹溝５２が嵌合されている。
また、他方の平板７２の表面において、前記連結部分と反対側の端部には、この端面に開口し、かつその厚さ方向に貫通して、その内側に装着筒部材１１の摺動筒１４が配置される第２切欠部７５が形成されている。
【００２８】
さらに、支軸部７３の両端部は、本体部２０の内側に設けられた軸受７６に回転自在に支持されている。この軸受７６は、周壁部２１ｂの内周面において横筒２２の直下に位置する部分に嵌着させた取付板７７の下面のうち、前記隙間の直下に位置する部分に一対の板状体が垂設され、それぞれの板状体に、上下方向に延在し各板状体の下端面に開口する長穴７６ａが形成された構成とされている。そして、この軸受７６の各長穴７６ａにそれぞれ支軸部７３の両端部が挿入されることにより、スライド機構７０が支軸部７３回りに回転できるようになっている。
【００２９】
なお、取付板７７には、被着筒２５を嵌着させる嵌合孔７７ａと、スライド機構７０の一方の平板７１を支軸部７３回りに前後方向に揺動可能に挿通させる窓孔７７ｂとが形成されている。また、取付板７７の外周縁部には径方向に開口する切欠部７８が形成されており、この切欠部７８を本体部２０の周壁部２１ｂの内周面に突設した係止リブ７９に係合させることによって、この取付板７７の周壁部２１ｂに対する回動を防ぐようになっている。
【００３０】
そして、この押下ヘッド１０においては、ヘッド本体２１および弁本体５１に、図３に示すノズルチップ４０および図４に示す封止ピン６０のみでなく、他の形態のノズルチップ４０および封止ピン６０を選択的に取り付けることが可能な構成とされている。
例えば、図５から図７に示すように、複数（図６においては３つ）の噴出口４３が形成された多孔ノズルチップ４０をヘッド本体２１に取り付けて本体部２０を構成し、複数の噴出口４３を封止可能な円板状の封止部６１を備えた封止ピン６０を弁本体５１に取り付けて弁部材５０を構成することができる。
【００３１】
また、図８、図９に示すように、ノズル本体４１の軸線方向長さを長くしたロングノズルチップ４０をヘッド本体２１に取り付けて本体部２０を構成し、このロングノズルチップ４０に対応可能な封止ピン６０を弁本体５１に取り付けて弁部材５０を構成することができる。
さらには、図１０、図１１に示すように、ノズル本体４１に屈曲部４６を設けたカールロングノズルチップ４０をヘッド本体２１に取り付けて本体部２０を構成し、前端部に弾性変形可能な軟質部材６５を備えて前記屈曲部４６に沿ってノズルチップ４０内を移動可能な封止ピン６０を弁本体５１に取り付けて弁部材５０を構成することもできる。なお、図１１に示す封止ピン６０には、ノズルチップ４０との位置合わせを行うためのリブが軸部６３と弁本体６２との連結部分に設けられている。
【００３２】
以上のように構成された押下ヘッド１０は、上方付勢状態で押込み可能にステム１を起立したポンプに装着されて、内部に液体が充填された容器体の口部に取り付けられる押下ヘッド付きポンプとされる。
【００３３】
この押下ヘッド付きポンプにおいて、本体部２０の周壁部２１ｂの下端部は、ステム１を保持する保持部材２に立設された支持筒部３に上下摺動可能に嵌合されており、押下ヘッド１０の装着筒部材１１は、保持部材２に対して上方に付勢された状態でステム１の上端部に嵌着されている。具体的には、装着筒部材１１の天板部１２の下面において、案内筒１５と装着筒１３との間に位置する部分と、支持筒部３が立設された保持天板部４との間に第２コイルスプリング５が介在されている。
【００３４】
また、本実施形態では、本体部２０の周壁部２１ｂの下端部と支持筒部３との間には、支持筒部３に対する本体部２０の抜け止め手段６が設けられている。図示の例では、支持筒部３の内周面における上端部に、径方向内方に突出する第１環状凸部３ａが設けられ、周壁部２１ｂの外周面における下端部に、径方向外方に突出する第２環状凸部２１ｃが設けられ、第２環状凸部２１ｃが第１環状凸部３ａよりも下方に位置されるように、周壁部２１ｂの下端部外周面が支持筒部３の上端部内周面に上下摺動可能に嵌合することによって、本体部２０の移動が第１、第２環状凸部３ａ、２１ｃの係合により規制されるようになっている。
【００３５】
次に、以上のように構成された押下ヘッド付きポンプの作用について説明する。
前記のように前方に付勢された弁部材５０が、一方の平板７１の端部を前方に付勢した状態から、本体部２０の頂板部２１ａを下方に押圧し、被着筒２５を摺動筒１４の外周面上を下方に摺動させながらこの本体部２０を押し下げることにより、一方の平板７１が後方に移動するようにスライド機構７０を支軸部７３回りに回動させることによって、弁部材５０を第１コイルスプリング２７の付勢力に抗して後方にスライドさせ、噴出口４３を開口させる。
【００３６】
さらに、本体部２０の頂板部２１ａを下方に押圧することにより、被着筒２５の下端が装着筒部材１１の天板部１２の上面に接触し、この押下力が装着筒部材１１を介してステム１に伝わることにより、装着筒部材１１と保持天板部４との間に介在された第２コイルスプリング５を圧縮しながらステム１が下方に移動し、容器体内の液体がステム１内に流入した後に、この流体が摺動筒１４を介して弁室Ａ内に流入することによって、噴出口４３から液体が外部に噴出される。
【００３７】
次に、本体部２０の頂板部２１ａに対する前記押圧を解除すると、ステム１の上方付勢力、および装着筒部材１１と保持部材２との間に介在されている第２コイルスプリング５の上方付勢力により、装着筒部材１１およびステム１が保持部材２に対して上方に移動する。これにより、弁室Ａ内は負圧になり、噴出口４３から出かかっていた液体が弁室Ａ内に吸引され、液だれの発生が抑えられる。その後、第１コイルスプリング２７の前方付勢力により、一方の平板７１が前方に移動するようにスライド機構７０を支軸部７３回りに回動させ、かつ弁部材５０を前方に移動させることよって、この弁部材５０の前方に取り付けられた封止ピン６０の封止部６１が噴出口４３を閉塞する。
【００３８】
以上説明したように本実施形態に係る押下ヘッド１０によれば、ヘッド本体２１に設けられた横筒２２の前端開口部に取付筒３２が設けられ、図３、図５、図８、図１０に示すような様々な形態のノズルチップ４０を選択的に取り付け可能な構成とされるとともに、弁本体５１の前端部分に取付凹部５５が設けられ、図４、図７、図９、図１１に示すような様々な形態の封止ピン６０を選択的に取り付けることが可能な構成とされているので、ヘッド本体２１および弁本体５１の形状を変更することなく、用途に応じた形態のノズルチップ４０および封止ピン６０を選択的に取り付けることができる。
したがって、１種類のヘッド本体２１および弁本体５１を管理することで様々な形態のノズルチップおよび封止ピン６０に対応することができ、押下ヘッド１の管理コストを大幅に削減することができる。
【００３９】
また、弁室Ａにおいて、噴出口４３に至る流路が、弁部材５０の外周面と弁室Ａの内周面との間に設けられた隙間、およびこれらの弁部材５０（封止ピン６０のピン本体６２）の外周面に形成された弁溝６４および弁室Ａ（ノズルチップ４０）の内周面に形成されたノズル溝４５により構成されているので、噴出口４３に至る液体の流路断面積を大きく確保することが可能になり、この流路内における液体の流動抵抗を低減させることができる。
【００４０】
さらに、本実施形態では、ステム１の上方付勢力、および装着筒部材１１と保持部材２との間に介在されている第２コイルスプリング５の上方付勢力により、装着筒部材１１およびステム１が保持部材２に対して上方に移動し、弁室Ａ内を負圧にすることが可能になり、噴出口４３から出かかっていた液体を弁室Ａ内に吸引して液だれが発生するのを確実に防ぐことができる。
【００４１】
なお、本発明の技術的範囲は前記実施の形態に限定されるものではなく、本発明の趣旨を逸脱しない範囲において種々の変更を加えることが可能である。
例えば、ノズルチップや封止ピンの形状は、本実施形態で例示した形状に限定されることはなく、前記取付筒部や取付部（取付凹部）にそれぞれ取り付け可能な構成とされていればよい。
【００４２】
また、弁本体の前端面に取付凹部を形成し、封止ピンの後端に軸部を形成したものとして説明したが、これに限定されることはなく、弁本体の前端部に取付軸部を形成し、封止ピンの後端に前記取付軸部に嵌合可能な凹部を形成してもよい。
また、取付筒部の内周側にノズルチップの固定筒を嵌入させて取り付ける構成としたが、これに限定されることはなく、取付筒部の外周側にノズルチップの固定筒を嵌合させてもよい。
【００４３】
さらに、ヘッド本体の横筒にアダプタが嵌着され、このアダプタにノズルチップを取り付けるための取付筒を設けた構成として説明したが、これに限定されることはなく、アダプタがなくヘッド本体に直接取付筒が設けられ、横筒の前端部分が取付筒とされていてもよい。
【００４４】
また、取付筒部に、弁部材を支持するガイド筒を設けたものとして説明したが、ガイド筒が無くてもよい。ただし、本実施形態のようにガイド筒を設けることにより、弁部材を移動させる際の噴出口に対する弁部材の位置を安定させることが可能となる。
さらに、本実施形態では、前記流路が、弁溝、ノズル溝、および弁部材の外周面と弁室の内周面との間に設けた隙間により構成された押下ヘッドを示したが、これに代えて、前記流路を弁溝、ノズル溝のみにより構成するようにしてもよい。
【００４５】
また、図１０に示すようなカールロングノズルチップの噴出口を開閉する封止ピンを、図１１に示すように先端部分を屈曲させたものとして説明したが、これに限定されることはなく、前端部分を軟質部材で構成して封止ピンを屈曲させないものとしてもよい。この場合、軟質部材がノズルチップの形状に合わせて変形するため、噴出口を開閉することが可能となる。また、ノズルチップとの位置合わせを行う必要がなくなり、位置合わせ用のリブを形成しなくてもよいので、封止ピンを簡単な形状とすることができる。
【産業上の利用可能性】
【００４６】
ヘッド本体および弁本体の形態を変更することなく、様々な形態のノズルチップおよび封止ピンを選択的に取り付けることが可能となる。
【図面の簡単な説明】
【００４７】
【図１】本発明の実施形態である押下ヘッドの概略側面断面図である。
【図２】図１に示す押下ヘッドに備えられたヘッド本体及び弁本体の断面図である。
【図３】図２に示すヘッド本体に取り付けられるノズルチップの断面図である。
【図４】図２に示す弁本体に取り付けられる封止ピンの側面図である。
【図５】図２のヘッド本体に取り付けられるノズルチップの他の例を示す断面図である。
【図６】図５に示すノズルチップの正面図である。
【図７】図２の弁本体に取り付けられる封止ピンの他の例を示す断面図である。
【図８】図２のヘッド本体に取り付けられるノズルチップの他の例を示す断面図である。
【図９】図２の弁本体に取り付けられる封止ピンの他の例を示す断面図である。
【図１０】図２のヘッド本体に取り付けられるノズルチップの他の例を示す断面図である。
【図１１】図２の弁本体に取り付けられる封止ピンの他の例を示す断面図である。
【符号の説明】
【００４８】
１  ステム
２  保持部材
１０  押下ヘッド
１１  装着筒部材
１２  天板部
１３  装着筒
１４  摺動筒
２０  本体部
２１  ヘッド本体
３２  取付筒
３４  ガイド筒（ガイド部）
４０  ノズルチップ
４３  噴出口
４５  ノズル溝（溝部）
５０  弁部材
５１  弁本体
５５  取付凹部（取付部）
６０  封止ピン
６４  弁溝（溝部）
７０  スライド機構（駆動機構）  
【図１】
2008110319.tif 000003
【図２】
2008110319.tif 000004
【図３】
2008110319.tif 000005
【図４】
2008110319.tif 000006
【図５】
2008110319.tif 000007
【図６】
2008110319.tif 000008
【図７】
2008110319.tif 000009
【図８】
2008110319.tif 000010
【図９】
2008110319.tif 000011
【図１０】
2008110319.tif 000012
【図１１】
2008110319.tif 000013